(57)【要約】【課題】湿度センサに対応するコネクタの接続不良を正確に判定する。【解決手段】加湿機１００は、アナログ式の湿度センサ２１と、加湿機１００の動作を制御するＭＰＵ１１と、湿度センサ２１からの検出電圧Ｖ１をＭＰＵ１１へ伝達するコネクタ３と、を備え、ＭＰＵ１１が、湿度センサ２１からの検出電圧Ｖ１に基づいて、コネクタ３の接続不良が発生しているか否かを判定する接続判定部１１５を備えている。【選択図】図１
2009180382.tif 000002
【特許請求の範囲】
【請求項１】
湿度を制御する空気調和機であって、
アナログ式の湿度センサと、
前記空気調和機の動作を制御するコンピュータと、
前記湿度センサからの検出電圧を前記コンピュータへ伝達するコネクタと、
を備え、
前記コンピュータが、前記湿度センサからの検出電圧に基づいて、前記コネクタの接続不良が発生しているか否かを判定する接続判定手段を備えることを特徴とする空気調和機。
【請求項２】
前記接続判定手段は、前記湿度センサからの検出電圧が予め設定された第１閾値以下である場合に、前記コネクタの接続不良が発生していると判定することを特徴とする請求項１に記載の空気調和機。
【請求項３】
前記湿度センサが実装されたセンサ基板と、
前記コネクタのプラグが接続されるジャック及び前記コンピュータが実装された制御基板と、
を備え、
前記接続判定手段は、前記ジャックとプラグとの間に接続不良が発生しているか否かを判定することを特徴とする請求項１又は請求項２に記載の空気調和機。
【請求項４】
前記センサ基板は、温度センサが実装され、
前記コネクタは、前記湿度センサからの検出電圧及び前記温度センサからの検出電圧を前記コンピュータへ伝達することを特徴とする請求項３に記載の空気調和機。
【請求項５】
前記接続判定手段は、前記温度センサからの検出電圧が予め設定された第２閾値以上である場合に、前記コネクタの接続不良が発生していると判定することを特徴とする請求項４に記載の空気調和機。
【発明の詳細な説明】
【技術分野】
【０００１】
本発明は、湿度を制御する加湿機等の空気調和機に関するものである。
【背景技術】
【０００２】
従来、湿度を制御する加湿機等の空気調和機では、湿度センサからの検出電圧がコネクタを介してマイクロコンピュータに伝達され、伝達された検出電圧に基づいて、マイクロコンピュータによって空気調和機の動作が制御されていたため、コネクタの接続不良が発生している場合には、空気調和機の動作を正常に行うことができないことがあった。そこで、上記課題を解消するために、コネクタの接続不良が発生しているか否かを判定するための種々の装置、方法等が提案されている。
【０００３】
例えば、マイクロコンピュータを実装した第１の回路基板と、部屋の相対湿度を検出し、０Ｖを含むパルス電圧を出力する湿度センサ素子と、抵抗成分からなり、入力される電源電圧より小さく、且つ０Ｖより大きい電圧を出力する室温センサと、湿度センサ素子と室温センサに共通であり、それらを第１の回路基板に接続するコネクタ及びコネクタハウジングと、マイクロコンピュータに設けられ、室温センサから０Ｖが入力された場合に、コネクタとコネクタハウジングとの接続外れと判定する異常判定部とを備えた空気調和機が開示されている（特許文献１参照）。上記空気調和機では、コネクタの接続外れを検出できるセンサとコネクタを共通化することで、湿度センサ素子のコネクタの接続外れを検出することができる。
【特許文献１】特開２００７−１４７１２４号公報
【発明の開示】
【発明が解決しようとする課題】
【０００４】
しかしながら、上記空気調和機においては、コネクタにおいて湿度センサ素子側のプラグだけがジャックから外れており、室温センサ側のプラグがジャックに接続されている場合には、コネクタの接続外れを検出することができない。
【０００５】
本発明は、上記課題に鑑みてなされたものであって、湿度センサに対応するコネクタの接続不良を正確に判定することが可能な空気調和機を提供することを目的とする。
【課題を解決するための手段】
【０００６】
上記目的を達成するために請求項１に記載の空気調和機は、湿度を制御する空気調和機であって、アナログ式の湿度センサと、前記空気調和機の動作を制御するコンピュータと、前記湿度センサからの検出電圧を前記コンピュータへ伝達するコネクタと、を備え、前記コンピュータが、前記湿度センサからの検出電圧に基づいて、前記コネクタの接続不良が発生しているか否かを判定する接続判定手段を備えることを特徴としている。
【０００７】
請求項２に記載の空気調和機は、請求項１に記載の空気調和機であって、前記接続判定手段が、前記湿度センサからの検出電圧が予め設定された第１閾値以下である場合に、前記コネクタの接続不良が発生していると判定することを特徴としている。
【０００８】
請求項３に記載の空気調和機は、請求項１又は請求項２に記載の空気調和機であって、前記湿度センサが実装されたセンサ基板と、前記コネクタのプラグが接続されるジャック及び前記コンピュータが実装された制御基板と、を備え、前記接続判定手段が、前記ジャックと前記プラグとの間に接続不良が発生しているか否かを判定することを特徴としている。
【０００９】
請求項４に記載の空気調和機は、請求項３に記載の空気調和機であって、前記センサ基板に、温度センサが実装され、前記コネクタが、前記湿度センサからの検出電圧及び前記温度センサからの検出電圧を前記コンピュータへ伝達することを特徴としている。
【００１０】
請求項５に記載の空気調和機は、請求項４に記載の空気調和機であって、前記接続判定手段が、前記温度センサからの検出電圧が予め設定された第２閾値以上である場合に、前記コネクタの接続不良が発生していると判定することを特徴としている。
【発明の効果】
【００１１】
請求項１に記載の空気調和機によれば、アナログ式の湿度センサによって湿度が検出され、湿度センサからの検出電圧がコネクタを介して、空気調和機の動作を制御するコンピュータへ伝達される。そして、コンピュータにおいて、湿度センサからの検出電圧に基づいて、コネクタの接続不良が発生しているか否かが判定されるため、湿度センサに対応するコネクタの接続不良を正確に判定することができる。
【００１２】
すなわち、アナログ式の湿度センサからの検出電圧に基づいて、コネクタの接続不良が発生しているか否かが判定されるため、湿度センサからの検出電圧が、全湿度範囲（＝０〜１００％）において０Ｖとなることがない（図２参照）ので、この特性に基づいてコネクタの接続不良が発生しているか否かを判定することによって、湿度センサに対応するコネクタの接続不良を正確に判定することができるのである。
【００１３】
請求項２に記載の空気調和機によれば、湿度センサからの検出電圧が予め設定された第１閾値以下である場合に、コネクタの接続不良が発生していると判定されるため、湿度センサに対応するコネクタの接続不良を容易に且つ正確に判定することができる。
【００１４】
すなわち、湿度センサからの検出電圧が予め設定された第１閾値以下である場合に、コネクタの接続不良が発生していると判定されるため、湿度センサからの検出電圧が、全湿度範囲（＝０〜１００％）において０Ｖとなることがない（図２参照）ので、この特性に基づいて第１閾値を適正値（例えば、０．２Ｖ）に設定することによって、湿度センサに対応するコネクタの接続不良を容易に且つ正確に判定することができるのである。
【００１５】
請求項３に記載の空気調和機によれば、湿度センサがセンサ基板に実装され、コネクタのプラグが接続されるジャック及びコンピュータが制御基板に実装され、ジャックとプラグとの間に接続不良が発生しているか否かが判定されるため、簡素な構成で湿度センサに対応するコネクタの接続不良を正確に判定することができる。
【００１６】
請求項４に記載の空気調和機によれば、温度センサがセンサ基板に実装されており、コネクタによって、湿度センサからの検出電圧及び温度センサからの検出電圧がコンピュータへ伝達されるため、コンピュータに１のコネクタを介して湿度センサからの検出電圧及び温度センサからの検出電圧が伝達されるので、簡素な構成で湿度センサからの検出電圧及び温度センサからの検出電圧をコンピュータへ伝達することができる。
【００１７】
請求項５に記載の空気調和機によれば、温度センサからの検出電圧が予め設定された第２閾値以上である場合に、コネクタの接続不良が発生していると判定されるため、コネクタの接続不良を更に正確に判定することができる。
【００１８】
すなわち、湿度センサからの検出電圧及び温度センサからの検出電圧に基づいてコネクタの接続不良が発生しているか否かが判定されるので、コネクタの接続不良を更に正確に判定することができるのである。また、温度センサからの検出電圧が予め設定された第２閾値以上である場合に、コネクタの接続不良が発生していると判定されるため、温度センサに対応するコネクタの接続不良を容易に且つ正確に判定することができるのである。
【発明を実施するための最良の形態】
【００１９】
以下に本発明の実施形態を、図面を参照しながら説明する。まず、図４を用いて従来の加湿機の有する課題について説明する。図４は、従来の加湿機の構成の一例を示すブロック図である。従来の加湿機１００Ａは、マイクロコンピュータ１１Ａ及び抵抗等が配設された制御基板１Ａと、プラグ３２Ａ及びジャック３１Ａからなり、センサ基板２Ａとの間の信号を伝達するコネクタ３Ａを介して、センサ基板２Ａに配設された湿度センサ２１Ａが検知した相対湿度に対応する検出電圧をＡＤ変換してマイクロコンピュータ１１Ａに入力して、相対湿度に基づいて運転を制御していた。
【００２０】
具体的には、マイクロコンピュータ１１Ａから、湿度センサ２１Ａを制御するために、マイクロコンピュータ１１Ａの出力ポート１１１Ａ及び出力ポート１１２Ａから５Ｖのパルス電圧が出力され、湿度センサ２１Ａに５Ｖのパルス電圧が印加される。そして、湿度センサ２１Ａによって、相対湿度に相当するパルス電圧が生成され、マイクロコンピュータ１１Ａの入力ポート１１３Ａに相対湿度に相当するパルス電圧が入力される。次に、入力された相対湿度に相当するパルス電圧がＡ／Ｄ変換され、サンプリングされて、相対湿度値が検出される。
【００２１】
ここで、マイクロコンピュータ１１Ａに入力される相対湿度に対応するパルス電圧の電圧値は、０Ｖ以上、５Ｖ未満の範囲の値となる。そこで、制御基板１Ａに配設されたジャック３１Ａからセンサ基板２Ａの湿度センサ２１Ａに接続されたプラグ３２Ａが外れた場合には、マイクロコンピュータ１１Ａに入力される相対湿度に対応するパルス電圧の電圧値が、０Ｖとはならず、０Ｖ以上５Ｖ未満の値となるため、コネクタ３Ａの接続不良を検出することができない。
【００２２】
そこで、コネクタ３Ａに温度センサ２２Ａの出力電圧を接続し、温度センサ２２Ａの出力電圧が５Ｖである場合に、コネクタ３Ａの接続不良であると検出していた。しかしながら、コネクタ３Ａにおいて、プラグ３２Ａの湿度センサ２１Ａに接続された接点のみがジャック３１Ａから外れている場合（いわゆる、半挿入の状態）には、コネクタ３Ａの接続不良を検出することができない。
【００２３】
次に、図１〜図３を用いて、本発明に係る加湿機について説明する。図１は、本発明に係る加湿機の構成の一例を示すブロック図である。本発明に係る加湿機１００は、制御基板１、センサ基板２及びコネクタ３を備えている。制御基板１は、ＭＰＵ（Ｍｉｃｒｏ  Ｐｒｏｃｅｓｓｉｎｇ  Ｕｎｉｔ）１１、抵抗器等の各種デバイスが実装された基板であって、端部にコネクタ３のジャック３１が配設されている。ＭＰＵ１１（コンピュータに相当する）は、加湿機１００全体の動作を制御するものである。
【００２４】
コネクタ３は、各種信号を伝達するものであって、プラグ３２及びジャック３１を備えている。プラグ３２は、センサ基板２（湿度センサ２１及び温度センサ２２）との信号を伝送するケーブルに接続されるものであって、ジャック３１に挿入されることによってジャック３１（制御基板１）との間で信号が伝送される。ジャック３１は、制御基板１の端部（ここでは、右側端部）に配設され、ＭＰＵ１１からの信号が抵抗器等の各種デバイスを介して入出力されるものであって、プラグ３２が挿入されるものである。
【００２５】
センサ基板２は、湿度センサ２１及び温度センサ２２が実装された基板であって、湿度センサ２１及び温度センサ２２への入力信号及び出力信号を制御基板１との間で伝達する配線がケーブルを介してコネクタ３のプラグ３２に接続されている。
【００２６】
湿度センサ２１は、アナログ式の湿度センサであって、接地端子、制御基板１からコネクタ３を介して入力電圧Ｖｉｎ（ここでは、５Ｖ）が印加される入力端子、及び、制御基板１に対してコネクタ３を介して検出電圧Ｖ１が出力される出力端子の３個の端子を有している。温度センサ２２は、サーミスタからなり、一方の端子が湿度センサ２１の接地端子に接続され、他方の端子（＝出力端子）から制御基板１に対してコネクタ３を介して検出電圧Ｖ２が出力されるものである。
【００２７】
ＭＰＵ１１には、４個のポート１１１〜１１４が配設されている。ポート１１１には、湿度センサ２１及び温度センサ２２を駆動する駆動電圧（ここでは、ＤＣ５Ｖ）が入力されている。ポート１１２には、湿度センサ２１の検出電圧Ｖ１が、コネクタ３及び抵抗Ｒ３（例えば、１ｋΩ）を介して入力されている。また、抵抗Ｒ３のポート１１２側には、一方端が接地されたコンデンサＣ４（例えば、０．０１μＦ）が接続されている。抵抗Ｒ３及びコンデンサＣ４は、ローパスフィルタとして機能するものである。
【００２８】
ポート１１３には、湿度センサ２１及び温度センサ２２の接地端子が、コネクタ３を介して入力されている。また、ポート１１３とコネクタ３との間の配線は接地されている。ポート１１４には、温度センサ２２の検出電圧Ｖ２が、コネクタ３及び抵抗Ｒ４（例えば、１０ｋΩ）を介して入力されている。更に、抵抗Ｒ４のポート１１４側には、一方端が接地されたコンデンサＣ３（例えば、０．０１μＦ）が接続されている。抵抗Ｒ４及びコンデンサＣ３は、ローパスフィルタとして機能するものである。また、抵抗Ｒ４のコネクタ３側には、プルアップ抵抗Ｒ２を介して駆動電圧（ここでは、ＤＣ５Ｖ）が印加されている。
【００２９】
ＭＰＵ１１（コンピュータに相当する）は、機能的に、接続判定部１１５、及び、運転制御部１１６を備えている。ここでは、ＭＰＵ１１が、制御基板１に配設された図略のＲＯＭ（Ｒｅａｄ  Ｏｎｌｙ  Ｍｅｍｏｒｙ）等に予め格納された制御プログラムを読み出して実行することにより、接続判定部１１５、運転制御部１１６等の機能部として機能するものである。
【００３０】
また、図略のＲＯＭ、ＲＡＭ（Ｒａｎｄｏｍ  Ａｃｃｅｓｓ  Ｍｅｍｏｒｙ）等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００３１】
接続判定部１１５（接続判定手段に相当する）は、ポート１１２から入力される湿度センサ２１の検出電圧Ｖ１、及び、ポート１１４から入力される温度センサ２２の検出電圧Ｖ２に基づいて、コネクタ３の接続不良が発生しているか否かを判定するものである。
【００３２】
具体的には、接続判定部１１５は、ポート１１２から入力される湿度センサ２１からの検出電圧Ｖ１が予め設定された第１閾値（例えば、０．２Ｖ）以下である場合に、コネクタ３の接続不良が発生していると判定するものである。また、接続判定部１１５は、温度センサ２２からの検出電圧Ｖ２が予め設定された第２閾値（例えば、４．８Ｖ）以上である場合に、コネクタ３の接続不良が発生していると判定するものである。
【００３３】
図２は、図１に示す湿度センサ２１及び図４に示す湿度センサ２１Ａの特性曲線の一例を示すグラフである。図の横軸は、相対湿度（％）であって、縦軸は、検出電圧（Ｖ）である。また、グラフＧ１は、アナログ式の湿度センサ２１の特性曲線であって、グラフＧ２は、パルス電圧駆動式の湿度センサ２１Ａの特性曲線であって特性曲線である。
【００３４】
図のグラフＧ１に示すように、相対湿度が増加する程、湿度センサ２１の検出電圧Ｖ１が増加し、相対湿度がほぼ零である場合の電圧Ｖ０が正の値（例えば、０．３Ｖ）である。従って、接続判定部１１５は、湿度センサ２１からの検出電圧Ｖ２が、電圧Ｖ０（ここでは、０．３Ｖ）未満に予め設定された第１閾値（例えば、０．２Ｖ）以下である場合に、コネクタ３の接続不良が発生していると判定することができるのである。
【００３５】
再び、図１に戻って、ＭＰＵ１１の機能構成について説明する。運転制御部１１６は、図略の操作スイッチ等を介してユーザからの操作入力を受け付けて、受け付けられた操作入力に基づいて、加湿機１００の運転を制御するものである。また、運転制御部１１６は、接続判定部１１５によってコネクタ３の接続不良が発生していると判定された場合には、加湿機１００の運転を停止するものである。
【００３６】
図３は、本発明に係る加湿機１００の動作の一例を示すフローチャートである。まず、運転制御部１１６によって、ユーザからの操作入力が受け付けられて、運転が開始される（Ｓ１０１）。そして、接続判定部１１５によって、ポート１１２から入力される湿度センサ２１からの検出電圧Ｖ１が取得される（Ｓ１０３）。次いで、接続判定部１１５によって、検出電圧Ｖ１が第１閾値（ここでは、０．２Ｖ）以下であるか否かの判定が行われる（Ｓ１０５）。第１閾値（ここでは、０．２Ｖ）以下であると判定された場合（Ｓ１０５でＹＥＳ）には、処理がステップＳ１１１に進められる。
【００３７】
第１閾値（ここでは、０．２Ｖ）以下ではないと判定された場合（Ｓ１０５でＮＯ）には、接続判定部１１５によって、ポート１１４から入力される温度センサ２２からの検出電圧Ｖ２が取得される（Ｓ１０７）。そして、接続判定部１１５によって、検出電圧Ｖ２が第２閾値（ここでは、４．７Ｖ）以上であるか否かの判定が行われる（Ｓ１０９）。第２閾値（ここでは、４．７Ｖ）以上ではないと判定された場合（Ｓ１０９でＮＯ）には、処理がステップＳ１０３に戻され、ステップＳ１０３以降の処理が繰り返し実行される。第２閾値（ここでは、４．７Ｖ）以上であると判定された場合（Ｓ１０９でＹＥＳ）、又は、ステップＳ１０５でＹＥＳの場合には、運転制御部１１６によって、運転が停止され（Ｓ１１１）、処理が終了される。
【００３８】
このようにして、アナログ式の湿度センサ２１によって湿度が検出され、湿度センサ２１からの検出電圧Ｖ１がコネクタ３を介して、加湿機１００の動作を制御するＭＰＵ１１へ伝達される。そして、ＭＰＵ１１において、湿度センサ２１からの検出電圧Ｖ１に基づいて、コネクタ３の接続不良が発生しているか否かが判定されるため、湿度センサ２１に対応するコネクタ３の接続不良を正確に判定することができる。
【００３９】
すなわち、アナログ式の湿度センサ２１からの検出電圧Ｖ１に基づいて、コネクタ３の接続不良が発生しているか否かが判定されるため、湿度センサ２１からの検出電圧Ｖ１が、全湿度範囲（＝０〜１００％）において０Ｖとなることがない（図２参照）ので、この特性に基づいてコネクタ３の接続不良が発生しているか否かを判定することによって、湿度センサ２１に対応するコネクタ３の接続不良を正確に判定することができるのである。
【００４０】
また、湿度センサ２１からの検出電圧Ｖ１が予め設定された第１閾値（ここでは、０．２Ｖ）以下である場合に、コネクタ３の接続不良が発生していると判定されるため、湿度センサ２１に対応するコネクタ３の接続不良を容易に且つ正確に判定することができる。
【００４１】
すなわち、湿度センサ２１からの検出電圧Ｖ１が予め設定された第１閾値以下である場合に、コネクタ３の接続不良が発生していると判定されるため、湿度センサ２１からの検出電圧Ｖ１が、全湿度範囲（＝０〜１００％）において０Ｖとなることがない（図２参照）ので、この特性に基づいて第１閾値を適正値（ここでは、０．２Ｖ）に設定することによって、湿度センサ２１に対応するコネクタ３の接続不良を容易に且つ正確に判定することができるのである。
【００４２】
更に、湿度センサ２１がセンサ基板２に実装され、コネクタ３のプラグ３２が接続されるジャック３１及びＭＰＵ１１が制御基板１に実装され、ジャック３１とプラグ３２との間に接続不良が発生しているか否かが判定されるため、簡素な構成で湿度センサ２１に対応するコネクタ３の接続不良を正確に判定することができる。
【００４３】
加えて、温度センサ２２がセンサ基板２に実装されており、コネクタ３によって、湿度センサ２１からの検出電圧Ｖ１及び温度センサ２２からの検出電圧Ｖ２がＭＰＵ１１へ伝達されるため、ＭＰＵ１１に１のコネクタ３を介して湿度センサ２１からの検出電圧Ｖ１及び温度センサ２２からの検出電圧Ｖ２が伝達されるので、簡素な構成で湿度センサ２１からの検出電圧Ｖ１及び温度センサ２２からの検出電圧Ｖ２をＭＰＵ１１へ伝達することができる。
【００４４】
また、温度センサ２２からの検出電圧Ｖ２が、予め設定された第２閾値（ここでは、４．７Ｖ）以上である場合に、コネクタ３の接続不良が発生していると判定されるため、コネクタ３の接続不良を更に正確に判定することができる。
【００４５】
すなわち、湿度センサ２１からの検出電圧Ｖ１及び温度センサ２２からの検出電圧Ｖ２に基づいてコネクタ３の接続不良が発生しているか否かが判定されるので、コネクタ３の接続不良を更に正確に判定することができるのである。また、温度センサ２２からの検出電圧Ｖ２が予め設定された第２閾値（ここでは、４．７Ｖ）以上である場合に、コネクタ３の接続不良が発生していると判定されるため、温度センサ２２に対応するコネクタ３の接続不良を容易に且つ正確に判定することができるのである。
【００４６】
なお、本発明は、以下の形態にも適用可能である。
（Ａ）本実施形態では、空気調和機が加湿機１００である場合について説明したが、その他の種類の湿度を制御する装置（例えば、除湿機等）である形態でもよい。
【００４７】
（Ｂ）本実施形態では、コンピュータがＭＰＵ１１である場合について説明したが、コンピュータがその他の種類のコンピュータ（例えば、ＣＰＵ（Ｃｅｎｔｒａｌ  Ｐｒｏｃｅｓｓｉｎｇ  Ｕｎｉｔ）、マイクロコンピュータ等）である形態でもよい。
【００４８】
（Ｃ）本実施形態では、ＭＰＵが、接続判定部１１５、運転制御部１１６等の機能部として機能する場合について説明したが、接続判定部１１５及び運転制御部１１６の内、少なくとも一方の機能部が回路等のハードウェアから構成される形態でもよい。
【００４９】
（Ｄ）本実施形態では、コネクタ３の接続不良が発生している場合に、ＭＰＵによって取得される湿度センサ２１からの検出電圧Ｖ１が０Ｖとなり、温度センサ２２からの検出電圧Ｖ２が５Ｖとなるように回路が構成されている場合について説明したが、逆に、コネクタ３の接続不良が発生している場合に、ＭＰＵによって取得される湿度センサ２１からの検出電圧Ｖ１が５Ｖとなり、温度センサ２２からの検出電圧Ｖ２が０Ｖとなるように回路が構成されている形態でもよい。
【００５０】
この場合には、接続判定部１１５は、湿度センサ２１からの検出電圧Ｖ１が予め設定された第１閾値（例えば、４．７Ｖ）以上である場合、又は、温度センサ２２からの検出電圧Ｖ２が予め設定された第２閾値（例えば、０．２Ｖ）以下である場合に、コネクタ３の接続不良が発生していると判定する。
【図面の簡単な説明】
【００５１】
【図１】は、本発明に係る加湿機の構成の一例を示すブロック図である。
【図２】は、図１に示す湿度センサ及び図４に示す湿度センサの特性曲線の一例を示すグラフである。
【図３】は、本発明に係る加湿機の動作の一例を示すフローチャートである。
【図４】は、従来の加湿機の構成の一例を示すブロック図である。
【符号の説明】
【００５２】
１００    加湿機
１    制御基板
１１    ＭＰＵ（コンピュータ）
１１１〜１１４    ポート
１１５    接続判定部（接続判定手段）
１１６    運転制御部
２    センサ基板
２１    湿度センサ
２２    温度センサ
３    コネクタ
３１    ジャック
３２    プラグ
【図１】
2009180382.tif 000003
【図２】
2009180382.tif 000004
【図３】
2009180382.tif 000005
【図４】
2009180382.tif 000006